(57)【要約】    【課題】裏側シートの包装品収容部側に広い情報記載領域を設けることが可能で、裏側シートをミシン目の部分で開封しやすいブリスターパックを提供すること。    【課題手段】  表側シート１３及び裏側シート１４で構成された台紙と、被包装品を収容する凹状の収容部１６及び収容部１６の周縁に形成されたフランジ部１５を備えた透明なプラスチック製カバー１２とを備え、表側シート１３に、収容部１６が入る大きさの開口部１３ａが形成され、裏側シート１４におけるフランジ部１５の外周部１５ｏより内側に対応する領域に、開封用のミシン目１７が形成され、フランジ部１５の外周部１５ｏが台紙の外周部１３ｏ、１４ｏの内側に位置し、フランジ部１５が表側シート１３と裏側シート１４との間に挟まれ、表側シート１３とフランジ部１５とが対面する領域に接着剤層を備え、表側シート１３と裏側シート１４とが対面する領域が接着されて一体化されている。【選択図】図２
2006027715.tif 000002
【特許請求の範囲】
【請求項１】
表側シート及び裏側シートで構成された台紙と、
被包装品を収容する凹状の収容部及び該収容部の周縁に形成されたフランジ部を備えた透明なプラスチック製カバーとを備え、
前記表側シートに、前記プラスチック製カバーの前記収容部が入る大きさの開口部が形成され、
前記裏側シートにおける前記フランジ部の外周部より内側に対応する領域に、開封用のミシン目が前記被包装品を取り囲むように形成され、
前記収容部が前記開口部に通され、
前記フランジ部の外周部が前記台紙の外周部の内側に位置し、前記フランジ部が前記表側シートと前記裏側シートとの間に挟まれ、
前記表側シートと前記フランジ部とが対面する領域、及び前記表側シートと前記裏側シートとが対面する領域に接着剤層を備え、前記表側シートと前記裏側シートとが対面する領域が接着され、前記台紙と前記プラスチック製カバーとが一体化されていることを特徴とするブリスターパック。
【請求項２】
表側シート及び裏側シートで構成された台紙と、
被包装品を収容する凹状の収容部及び該収容部の周縁に形成されたフランジ部を備えた透明なプラスチック製カバーとを備え、
前記表側シートに、前記プラスチック製カバーの前記収容部が入る大きさの開口部が形成され、
前記裏側シートにおける前記フランジ部の外周部より内側に対応する領域に、開封用のミシン目が前記被包装品を取り囲むように形成され、
前記収容部が前記開口部に通され、
前記フランジ部の外周部が前記台紙の外周部の内側に位置し、前記フランジ部が前記表側シートと前記裏側シートとの間に挟まれ、
前記表側シートと前記フランジ部とが対面する領域、及び前記表側シートと前記裏側シートとが対面する領域が接着され、前記台紙と前記プラスチック製カバーとが一体化されていることを特徴とするブリスターパック。
【請求項３】
さらに、前記裏側シートにおける前記収容部側の面の前記ミシン目で囲まれた領域に、情報記載部が設けられていることを特徴とする請求項１又は２に記載のブリスターパック。
【請求項４】
前記フランジ部の外周部が、前記台紙の外周部にほぼ沿って形成され、前記ブリスターパックの吊り下げ孔を備え、少なくとも該吊り下げ孔が形成された領域を除く辺のミシン目が、前記フランジ部の外周端にほぼ沿って形成されていることを特徴とする請求項１〜３のいずれかの項に記載のブリスターパック。
【請求項５】
前記吊り下げ孔が形成された領域を除く前記表側シート及び前記裏側シートの外周部と前記フランジ部の外周部との間隔が、約２〜約３０ｍｍの範囲であることを特徴とする請求項４に記載のブリスターパック。
【請求項６】
前記吊り下げ孔が形成された領域を除く前記表側シート及び前記裏側シートの外周部と前記フランジ部の外周部との間隔が、約２〜約１５ｍｍの範囲であることを特徴とする請求項４に記載のブリスターパック。
【請求項７】
前記吊り下げ孔が形成された領域を除く前記表側シート及び前記裏側シートの外周部と前記フランジ部の外周部との間隔が、約２〜約７ｍｍの範囲であることを特徴とする請求項４に記載のブリスターパック。
【請求項８】
前記吊り下げ孔が設けられた領域に位置する前記ミシン目に続いて、開封用の開封端が設けられ、前記吊り下げ孔側に、前記開封端に続く開口部が設けられていることを特徴とする請求項４〜７のいずれかの項に記載のブリスターパック。
【請求項９】
前記吊り下げ孔が設けられた領域に位置する前記ミシン目に続いて、開封用の開封端が設けられ、該開封端が、前記ミシン目に続く突起状部であり、該突起状部が前記吊り下げ孔に突出していることを特徴とする請求項４〜７のいずれかの項に記載のブリスターパック。
【発明の詳細な説明】
【技術分野】
【０００１】
本発明は、台紙とプラスチック製カバーとで構成されたブリスターパックに関し、さらに詳細には、台紙が表側シート及び裏側シートで構成され、裏側シートの包装品収容部側の面に、包装品に関する情報記載部を設けることができるブリスターパックに関する。
【背景技術】
【０００２】
ブリスターパックは、包装品を収容するブリスター状の収容部が形成された透明なプラスチック製カバーと台紙とで構成され、包装品が収容部に納められて、プラスチック製カバーのフランジ部と台紙とが接着されたものである。ブリスターパックは、包装された商品などを直接見ることができるので、購入者にとって陳列されている商品などを確認しやすいという長所がある。また、ブリスターパックには、包装された商品に塵が付くことや、手垢などの汚れが生じることを防止することができるという長所のほか、台紙の裏面などに商品に関する説明書きを印刷することができること、ブリスターパックを吊り下げて陳列することができるので商品の販売に必要なスペースが少なくて済むことといった利点がある。そのために、様々な商品の販売などに広く利用されている。
【０００３】
包装にブリスターパックを適用する商品の中でも、小型の商品で、比較的多くの説明書きを必要とする場合には、印刷された説明書を折り畳んで、商品とともにブリスターパック内に収めておく方法がある。ただし、ブリスターパックを製造する上では工程が増加するので、ある程度のコスト上昇を伴う。説明書を添付するほど情報が多くはないが、できるだけ多くの情報を記載することができる方法として、表側シートと裏側シートとで台紙を構成し、裏側シートには、裏側とともに収容部側の面に情報を記載する方法が提案されている（例えば、特許文献１）。
【０００４】
図９は、従来の技術に係るブリスターパックの台紙を示す図であり、特許文献１に開示されている「写真フィルムブリスター包装体」の台紙を示す展開図である。台紙１０７は、折り曲げ部１１２で表側シート１３１と裏側シート１３２に分かれており、表側シート１３１にはプラスチック製カバー（プラスチック成形体）の収容部よりやや大きめの開口部１１０が形成され、裏側シート１３２にはミシン目１１１が設けられている。また、表側シート１３１の裏面における領域１２０及び裏側シート１３２の表面（収容部側）における領域１２１が情報記載領域となっている。この台紙１０７のうち、網目で表示した領域（プラスチック製カバー（図示省略）のフランジ部を含まない領域）に接着剤１３０が塗布されており、プラスチック製カバーのフランジ部を表側シート１３１と裏側シート１３２との間に挟み、表側シート１３１と裏側シート１３２とを接着することにより、ブリスターパックが形成されるようになっている。したがって、プラスチック製カバーのフランジ部は、表側シート１３１にも、裏側シート１３２にも接着されていない。また、裏側シート１３２の接着領域１３０の内側にミシン目１１１が設けられている。
【０００５】
このように包装されたブリスターパックを裏側シート１３２のミシン目１１１で開封し、ミシン目のうちの３辺を切りその部分を裏返して開くと、裏側シート１３２の情報記載部１２１に記載されている説明書きを読むことができるようになっている。引用文献１に開示されている「写真フィルムブリスター包装体」の場合には、プラスチック製カバーのフランジ部が接着されておらず、２枚のシートの間に挟まれて保持されている。
【０００６】
また、特許文献２にもほぼ同様のブリスターパックが開示されている。特許文献２に開示されているブリスターパックは、台紙とプラスチック製カバーとを容易に分離することができるように考慮されたもので、表側シートと裏側シートとの間に、プラスチック製カバーのフランジ部を挟み、フランジ部の外側で表側シートと裏側シートとが接着された構造となっている。この接着部及び台紙とプラスチック製カバーとの間で剥離しやすいように、表側シート及び裏側シートの内側にポリエチレンの層が設けられている。また、フランジ部の外側で、接着部の内側に相当する位置の裏側シートに、開封用のミシン目が形成されている。ただし、特許文献２に開示されているブリスターパックの場合には、裏側シートの収容部側の面に、情報記載領域を設けることまでは考慮されていない。
【０００７】
上記のように、特許文献１と２に開示されているブリスターパックは、プラスチック製カバーが接着により固定されないようになっている。そのために、ブリスターパックのフランジ部の外周部のみに接着剤を塗布して接着する方法（特許文献１）、表側シートと裏側シートの内側にポリエチレン層を設けて接着する方法等が採られている。
【０００８】
このほか、表側シートと裏側シートとの間に、プラスチック製カバーのフランジ部を挟み、フランジ部と表側シート及び裏側シートとを接着するタイプのブリスターパックが提案されている（例えば、特許文献３）。特許文献３には、紙とプラスチックとを分別しやすいように、フランジ部と表側シート及び裏側シートとの接着を点接着とする方法が提案されている。ただし、特許文献３に開示されているブリスターパックは電球を安定して収納することができるようにすることを目的としたものであるので、裏側シートの商品収納側に情報記載部を設けること及びそのために必要な条件等は考慮されていない。
【０００９】
上記のように、特許文献１は、表側シートと裏側シートとをひと続きのシートで構成し、フランジ部の外側のみを接着するようになっているために、グラビア印刷などにより接着剤を塗布しなければならない。また、特許文献２の場合には、接着部の剥離性をよくするために、表側シートと裏側シートの内側にポリエチレン層を設けなければならない。ポリエチレン層には、包装品に関する情報を印刷しにくいという欠点がある。特許文献３に開示されているブリスターパックの場合には、プラスチック製カバーの両面が台紙と接着されるので、裏側シートのうち接着部は情報記載部として使用することができないので、情報記載部として利用できる領域の広さに制限が生じるという欠点がある。
【特許文献１】特開２００１−１５１２７０号公報
【特許文献２】特開平５−２７８７６０号公報
【特許文献３】特開２００３−２３７８３５号公報
【発明の開示】
【発明が解決しようとする課題】
【００１０】
本発明は、裏側シートの包装品収容部側に広い情報記載領域を確保することが可能なブリスターパックを提供することを目的としている。
【課題を解決するための手段】
【００１１】
上記課題を解決するための本発明に係るブリスターパック（１）は、表側シート及び裏側シートで構成された台紙と、被包装品を収容する凹状の収容部及び該収容部の周縁に形成されたフランジ部を備えた透明なプラスチック製カバーとを備え、前記表側シートに、前記プラスチック製カバーの前記収容部が入る大きさの開口部が形成され、前記裏側シートにおける前記フランジ部の外周部より内側に対応する領域に、開封用のミシン目が前記被包装品を取り囲むように形成され、前記収容部が前記開口部に通され、前記フランジ部の外周部が前記台紙の外周部の内側に位置し、前記フランジ部が前記表側シートと前記裏側シートとの間に挟まれ、前記表側シートと前記フランジ部とが対面する領域、及び前記表側シートと前記裏側シートとが対面する領域に接着剤層を備え、前記表側シートと前記裏側シートとが対面する領域が接着され、一体化されていることを特徴としている。
【００１２】
また、本発明に係るブリスターパック（２）は、表側シート及び裏側シートで構成された台紙と、被包装品を収容する凹状の収容部及び該収容部の周縁に形成されたフランジ部を備えた透明なプラスチック製カバーとを備え、前記表側シートに、前記プラスチック製カバーの前記収容部が入る大きさの開口部が形成され、前記裏側シートにおける前記フランジ部の外周部より内側に対応する領域に、開封用のミシン目が前記被包装品を取り囲むように形成され、前記収容部が前記開口部に通され、前記フランジ部の外周部が前記台紙の外周部の内側に位置し、前記フランジ部が前記表側シートと前記裏側シートとの間に挟まれ、前記表側シートと前記フランジ部とが対面する領域、及び前記表側シートと前記裏側シートとが対面する領域が接着され、一体化されていることを特徴としている。
【００１３】
また、本発明に係るブリスターパック（３）は、上記ブリスターパック（１）又は（２）において、さらに、前記裏側シートにおける前記収容部側の面の前記ミシン目で囲まれた領域に、情報記載部が設けられていることを特徴としている。
【００１４】
また、本発明に係るブリスターパック（４）は、上記ブリスターパック（１）〜（３）のいずれかにおいて、前記フランジ部の外周部が、前記台紙の外周部にほぼ沿って形成され、前記ブリスターパックの吊り下げ孔を備え、少なくとも該吊り下げ孔が形成された領域を除く辺のミシン目が、前記フランジ部の外周部にほぼ沿って形成されていることを特徴としている。
【００１５】
また、本発明に係るブリスターパック（５）は、上記ブリスターパック（４）において、前記吊り下げ孔が形成された領域を除く前記表側シート及び前記裏側シートの外周部と前記フランジ部の外周部との間隔が、約２〜約３０ｍｍの範囲であることを特徴としている。
【００１６】
また、本発明に係るブリスターパック（６）は、上記ブリスターパック（４）において、前記吊り下げ孔が形成された領域を除く前記表側シート及び前記裏側シートの外周部と前記フランジ部の外周部との間隔が、約２〜約１５ｍｍの範囲であることを特徴としている。
【００１７】
また、本発明に係るブリスターパック（７）は、上記ブリスターパック（４）において、前記吊り下げ孔が形成された領域を除く前記表側シート及び前記裏側シートの外周部と前記フランジ部の外周部との間隔が、約２〜約７ｍｍの範囲であることを特徴としている。
【００１８】
また、本発明に係るブリスターパック（８）は、上記ブリスターパック（４）〜（７）のいずれかにおいて、前記吊り下げ孔が設けられた領域に位置する前記ミシン目に続いて、開封用の開封端が設けられ、吊り下げ孔側に、前記開封端に続く開口部が設けられていることを特徴としている。
【００１９】
また、本発明に係るブリスターパック（９）は、上記ブリスターパック（４）〜（７）のいずれかにおいて、前記吊り下げ孔が設けられた領域に位置する前記ミシン目に続いて、開封用の開封端が設けられ、該開封端が、前記ミシン目に続く突起状部であり、該突起状部が前記吊り下げ孔に突出していることを特徴としている。
【００２０】
上記の本発明に係るブリスターパック（１）〜（９）は、包装品への適用において、特に、比較的多くの情報量を必要とする商品の包装に適している。例えば、歯間ブラシ、デンタルフロス、電池、フィルム、しみ抜き剤、医薬品、医薬部外品、化粧品などの包装に用いることができる。このように、特に小型軽量の商品の包装に適しているが、それらの包装に限定されるものではない。
【００２１】
なお、本明細書で用いる透明なプラスチック製カバーの「透明」には、無色透明のほか、着色されているものであっても、内部の包装品を見ることができるもの、すなわち透視可能なものであれば「透明」に含まれるものとする。また、「ミシン目」とは、ナイフ等の刃物を使わずに、一部を掴んで切ることができる、断続する切り込みを意味し、その切り込みの態様は特に限定されない。
【００２２】
また、本明細書で用いる用語「ブリスターパック」には、包装品を含まないプラスチック製カバー及び台紙で構成された包装体も含まれるものとする。
【発明の効果】
【００２３】
上記ブリスターパック（１）によれば、表側シートの裏側全面にヒートシール用接着剤などが塗布され、表側シートと裏側シートとが直接対面する領域のみが接着されている。プラスチック製カバーのフランジ部と裏側シートとが接着されていないので、包装品を取り出す開封用のミシン目の位置を、フランジ部の外周部（外形線）まで広げることができる。したがって、裏側シートの収容部側（内側）の面に、広い情報記載部を確保することができる。また、台紙が表側シートと裏側シートの２枚で構成されているため、裏側シート全面に接着剤を塗布することができるので、製造工程が単純である。また、台紙を１枚のシートで構成する場合などに比べて、裏側シートの厚さを薄くすることができるので、ミシン目で開封しやすい厚さを選ぶことができる。したがって、使用者はミシン目に沿って確実に、容易に開封することができるので、裏側シートの内側に情報記載部が設けられている場合には、記載されている情報を確実に読み取ることができる。
【００２４】
上記ブリスターパック（２）によれば、表側シートの裏側とプラスチック製カバーのフランジ部との間に接着層が形成されている点以外は、ブリスターパック（１）の場合と同じであるので、ブリスターパック（１）とほぼ同様な効果が得られる。その他、ブリスターパック（２）の場合には、表側シートの裏側とプラスチック製カバーのフランジ部との間に接着層が形成されているので、より剛性に優れたブリスターパックが得られる。
【００２５】
上記ブリスターパック（３）によれば、裏側シートの内側のミシン目で囲まれた領域に情報記載部が設けられているので、裏側シートの裏面側と内側の両方に取り扱い説明などの情報を記載することができる。したがって、裏面側だけでは情報記載領域が不十分な場合に、情報が記載された別の用紙を折り畳んで収容部に収めるというような手法を採る必要がない。そのために、より低いコストでブリスターパックを製造することができる。
【００２６】
上記ブリスターパック（４）によれば、開封用のミシン目がブリスターパックのフランジ部の外周部に沿って形成されているので、裏側シートの内側の面に、より広い情報記載部を確保することができる。このように裏側シートの内側の面に広い情報記載部を確保することができるのは、裏側シートとフランジ部とが接着されていないからである。
【００２７】
上記ブリスターパック（５）〜（７）によれば、表側シート及び裏側シート、すなわち台紙の外周部とフランジ部の外周部との間隔が所定の範囲に制限されているので、台紙が所定の大きさに制限されている場合に、裏側シートの内側に、より広い情報記載部を確保することができる。
【００２８】
上記ブリスターパック（８）によれば、裏側シートの吊り下げ孔が設けられた領域に位置するミシン目に続いて、開封用の開封端が設けられ、吊り下げ孔側に開封端に続く開口部が設けられているので、開口部に指先又は爪先を入れ、開封端を引き上げることにより、裏側シートのミシン目に沿って、簡単に開封することができる。また、ミシン目のうち、開封端から横方向に向かう部分が下向き（開封方向）に傾斜して形成されている場合には、ミシン目以外の方向に破れる可能性が低く、ミシン目に沿って確実に開封することができる。そのために、裏側シートの内側に記載されている情報を確実に読み取ることができる。
【００２９】
上記ブリスターパック（９）によれば、開封端がミシン目に続く突起状部であり、突起状部が吊り下げ孔に突出しているので、開封端を摘むことが容易であり、開封端を摘んで裏側シートのミシン目に沿って、簡単に開封することができる。また、ミシン目のうち、開封端から横方向に向かう部分が下向き（開封方向）に傾斜して形成されている場合には、ミシン目以外の方向に破れる可能性が低く、ミシン目に沿って確実に開封することができる。そのために、裏側シートの内側に記載されている情報を確実に読み取ることができる。
【発明を実施するための最良の形態】
【００３０】
以下、図面を参照し、本発明の実施の形態に係るブリスターパックを具体的に説明する。なお、各図面においては、同一又は同種の部分に同じ符号を付し、重複する説明を省略することがある。
【００３１】
図１は、本発明の実施の形態１に係るブリスターパック１０を示す斜視図である。また、図２は、図１に示したブリスターパック１０を分解して示す斜視図、図３は、図１に示した切断線III−III’におけるブリスターパック１０の断面図である。
【００３２】
図１〜３に示したように、ブリスターパック１０は、台紙１１、プラスチック製カバー１２とで構成されており、台紙１１は表側シート１３と裏側シート１４とで構成されている。プラスチック製カバー１２は、包装品を収容するブリスター状、すなわち断面形状が凹形の収容部１６と収容部１６の周縁部に形成されたフランジ部１５とで構成されている。なお、符号１９は、ブリスターパック１０を吊り下げるのに用いられる吊り下げ孔であり、符号３２は後に説明する開封用の開口部である。
【００３３】
表側シート１３には、プラスチック製カバー１２の収容部１６が通る大きさ、すなわちフランジ部１５の内周部１５ｉより大きい開口部１３ａが形成されている。なお、開口部１３ａは、フランジ部１５の外周部１５ｏより小さく、フランジ部１５が通り抜けない大きさとなっている。また、裏側シート１４には、ブリスターパック１０を開封するためのミシン目１７が形成されている。このミシン目１７で囲まれた収容部１６側（内側）の面を情報記載部として利用することができる。むろん、裏側シート１４の裏側（ブリスターパック１０の外側）も、従来通り情報記載部として利用される。
【００３４】
ブリスターパック１０は、表側シート１３の裏側、すなわちフランジ部１５と対面する面に接着剤を塗布し、表側シート１３と裏側シート１４との間にプラスチック製カバー１２のフランジ部１５を挟んで接着することにより、一体的に形成されるようになっている。接着の際に、接着剤として、ヒートシール用接着剤を用いて、ヒートシール法によって接着する場合に、ヒートシーラのヒータ形状及びシール型（受け台）の形状を選択することにより、フランジ部１５と表側シート１３とはほとんど接着されずに、表側シート１３と裏側シート１４とが直接対面する領域のみに接着層が形成されるようにすることができる。
【００３５】
例えば、ヒートシーラのヒータ及びシール型が、表側シート１３と裏側シート１４とが直接対面する領域のみに当たるようにして加熱する場合には、図３に符号１８で示した接着剤塗布領域の内、表側シート１３のフランジ部１５と対面する領域は接着されずに、その領域には接着剤層がそのまま残り、表側シート１３と裏側シート１４とが直接対面する領域に接着部が形成される。包装品（図示省略）をパックする場合には、包装品を収容部１６に収めた後接着すればよい。実施の形態１に係るブリスターパック１０の場合には、上記の方法で接着されるので、フランジ部１５と裏側シート１４との間には接着層が形成されないようになっている。
【００３６】
別の実施の形態に係るブリスターパックの場合には、表側シート１３とプラスチック製カバー１２のフランジ部１５とが対面する領域に、接着層が形成されるようになっている。例えば、接着剤としてエチレン−酢酸ビニル共重合体（ＥＶＡ）、ポリエステルなどを使用し、表側シート１３の裏側に接着剤を塗布した後、ヒートシーラのヒータ及びシール型により、プラスチック製カバー１２のフランジ部１５を含む領域を加熱する方法によって接着することによって、表側シート１３と裏側シート１４とが直接対面する領域、及び表側シート１３とプラスチック製カバー１２のフランジ部１５とが対面する領域に接着層が形成される。すなわち、接着剤塗布領域１８全体が接着層となり、より剛性に優れたブリスターパックが得られる。
【００３７】
図４は、表側シート１３、裏側シート１４、フランジ部１５及びミシン目１７相互の位置関係を示す模式的平面図である。表側シート１３と裏側シート１４とはほぼ同じ大きさであり、それぞれの端部が合わされた状態で接着される。裏側シート１４に設けられるミシン目１７は、フランジ部１５の外周部（外形線）１５ｏと内周部（内形線）１５ｉとの間に位置する。ただし、裏側シート１４の内側の面に設けられる情報記載部の面積をできるだけ広くするために、ミシン目１７の位置は、できるだけフランジ部１５の外形線１５ｏに近い方が好ましく、外形線１５ｏと同じ位置であってもよい。
【００３８】
なお、吊り下げ孔１９が設けられる上部領域については、開封用の開封端が設けられるので、必ずしもミシン目１７とフランジ部１５の外形線１５ｏとが近接していなくてもよい。また、ミシン目１７は、全周に形成されている例を示したが、開封端に対向する辺は、折り曲げられるだけでもいいので、必ずしもミシン目１７が形成されていなくてもよい。
【００３９】
フランジ部１５の外形線１５ｏと表側シート１３の外形線１３ｏ又は裏側シート１４の外形線との間隔（表側シート１３と裏側シート１４との接着幅）は、表側シート１３と裏側シート１４とが接着されて固定される条件が満たされればよく、必要以上に広くしない方がよい。上記の表側シート１３と裏側シート１４との接着幅は、安定して必要な接着が得られる範囲、例えば、約２〜約３０ｍｍの程度とすることが好ましい。上記のように、表側シート１３と裏側シート１４との接着幅は必要以上に広くない方が好ましいので、例えば、包装品が、歯間ブラシ、デンタルフロスなどの小型軽量の場合には、約２〜約１５ｍｍの範囲がより好ましく、さらに好ましい範囲は約２〜約７ｍｍである。
【００４０】
図５は、実施の形態２に係るブリスターパック２０を示す斜視図である。図５に示したブリスターパック２０は、台紙２１の表側シート２３と裏側シート２４とがひと続きのシートで構成されており、折り曲げ部２９で折り曲げられて、表側シート２３と裏側シート２４として重ね合わせられるようになっている。なお、折り曲げ部２９は、台紙２１の厚さの１／２程度の深さのハーフカットが施されていることが好ましい。また、表側シート２３、裏側シート２４、フランジ部１５及びミシン目１７相互の位置関係は、実施の形態１に係るブリスターパック１０の場合と同様であるので、重複する説明を省略する。
【００４１】
図６は、実施の形態３に係るブリスターパック３０の開封端を示す部分拡大平面図である。開封端３１は、裏側シート１４の吊り下げ孔１９が設けられた領域に位置するミシン目１７に続いて設けられており、開封端３１の吊り下げ孔１９側の裏側シート１４には、ほぼ半円形の開口部３２が形成されている。開口端３２の下側はプラスチック製カバー１２のフランジ部１５となっている。また、裏側シート１４とフランジ部１５とは接着されていないので、開口部３２に指先又は爪先を入れ、開封端３１を引き上げることにより、裏側シート１４のミシン目１７に沿って、簡単に開封することができる。
【００４２】
なお、開口部３２は、吊り下げ孔１９で代用してもよい。この場合には、ミシン目１７を、吊り下げ孔１９に続くように形成すればよい。
【００４３】
ミシン目１７のうち、開封端３１から横方向に向かう部分１７ａは、開封方向、すなわちミシン目の縦方向の部分１７ｂに向けて傾斜していることが好ましい。図示されているように、ミシン目１７ａの部分が下向きに傾斜している方が、ミシン目１７以外の方向に破れにくく、ミシン目１７に沿って開封されやすいからである。
【００４４】
図７は、実施の形態４に係るブリスターパック４０Ａ、４０Ｂの開封端を示す部分拡大斜視図であり、（ａ）は突起状の開封端が裏側シート、フランジ部及び表側シートの３層で構成されている場合、（ｂ）は突起状の開封端が裏側シート１層で構成されている場合を示している。
【００４５】
図７（ａ）に示したように、ブリスターパック４０Ａの場合は、吊り下げ孔４９Ａが形成された領域におけるミシン目１７の部分１７ａに続いて、吊り下げ孔４９Ａに向けて突起状部が形成されており、この突起状部が開封端４１Ａとなっている。この開封端４１Ａは、裏側シート１４、フランジ部１５及び表側シート１３の３層で構成されている。これらの３層のうち、フランジ部１５と表側シート１３とは接着されており、裏側シート１４とフランジ部１５との間は接着されていない。したがって、開封端４１Ａの裏側シート１４を指で簡単に剥がし取ることができる。この剥がし取った部分を指で摘んで引っ張ることにより、裏側シート１４のミシン目１７に沿って、簡単に開封することができる。
【００４６】
また、図７（ｂ）に示したブリスターパック４０Ｂの開封端４１Ｂは、ブリスターパック４０Ａの開封端４１Ａとほぼ同様な形態であるが、開封端４１Ｂが、裏側シート１４のみで構成されている点が相違している。ブリスターパック４０Ｂの場合には、開封端４１Ｂをそのまま摘んで開封することができるため、いっそう容易に開封することができる。
【００４７】
なお、ミシン目１７のうち、開封端４１Ａ、４１Ｂから横方向に向かう部分１７ａは、ブリスターパック３０の場合と同様に、開封方向、すなわちミシン目の縦方向の部分１７ｂに向けて傾斜していることが好ましい。
【００４８】
図８は、接着剤としてエチレン−酢酸ビニル共重合体（ＥＶＡ）、ポリエステルなどを使用して接着した場合における接着部を示す平面図であり、表側シート１３と裏側シート１４とが対面する周縁部全面を接着部とするほか、さらに、（ａ）は表側シート１３とフランジ部１５とが対面する部分全面を接着部とする場合、（ｂ）は表側シート１３とフランジ部１５の周縁部とが対面する部分を接着部とする場合、（ｃ）は表側シート１３とフランジ部１５のコーナー部とが対面する部分を接着部とする場合を示している。
【００４９】
表側シート１３と裏側シート１４とが対面する周縁部に接着層を設けるほか、表側シート１３とフランジ部１５とが対面する領域にも接着層を形成する場合には、図８（ａ）に示したように、表側シート１３とフランジ部１５とが対面する部分全面に接着剤層１８ｂを塗布して接着層を形成する方が、確実な接着を行うことができるのでもっとも好ましい。ただし、表側シート１３とフランジ部１５との接着に関しては、図８（ｂ）又は（ｃ）に示したように、フランジ部１５の一部の領域と表側シート１３とが対面する領域に接着剤層１８ｃ、１８ｄを塗布して接着剤層１８Ａ、１８Ｂを形成し、接着剤層１８ｃ、１８ｄの部分を接着層とするようにしてもよい。フランジ部１５の接着部が少ない場合には、表側シート１３とプラスチック製カバー１２とを分離した際に、プラスチック製カバー１２側に表側シート１３が付着残留する量を少なくすることができる。したがって、紙とプラスチックとの分別回収などの観点からは、より好ましい。
【００５０】
実施の形態１〜４に示したブリスターパック１０、２０、３０、４０に関しては、下記のような条件、製造方法によって製造することができる。それぞれのブリスターパックには、条件、製造方法に基本的な相違はないので、ブリスターパック１０の場合の例を以下に説明する。
【００５１】
例えば、包装品が、歯間ブラシ、デンタルフロスなどの小型軽量の場合には、フランジ部１５の幅は、吊り下げ孔１９に対応する領域を除いて、２〜１０ｍｍ程度の範囲が好ましい。また、フランジ部１５の外周部１５ｏと表側シート１３の外周部１３ｏ、又は裏側シート１４の外周部１４ｏとの間の幅は、前述のように、安定して必要な接着が得られる範囲、例えば、約２〜約３０ｍｍの程度とすることが好ましい。さらに、表側シート１３と裏側シート１４との接着幅は必要以上に広くない方が好ましいので、例えば、包装品が、歯間ブラシ、デンタルフロスなどの小型軽量の場合には、約２〜約１５ｍｍの範囲が好ましく、約２〜約７ｍｍの範囲がより好ましい。
【００５２】
裏側シート１４の厚さは、包装品の大きさ、重さ、シートに用いる紙などの材料の材質などにも影響されるが、歯間ブラシ、デンタルフロスなど小型軽量の包装品の場合は、斤量で２００〜４００ｇ／ｍ２程度の範囲が好ましい。ブリスターパック１０は、台紙１１が表側シート１３と裏側シート１４とで構成され、プラスチック製カバー１２のフランジ部１５が表側シート１３と接着されている。
【００５３】
台紙１１を構成する材料は、コートボール紙、裏白コートボール紙、カード紙、ホイール紙、蒸着紙などの紙が好ましいが、ポリプロピレン（ＰＰ）等のポリオレフィン系樹脂、ポリエチレンテレフタレート（ＰＥＴ）等のポリエステル系樹脂、ポリスチレン（ＰＳ）系樹脂、ポリ塩化ビニル（ＰＶＣ）系樹脂などのプラスチック材料を用いることもできる。例えば、歯間ブラシ、デンタルフロスなどの小型軽量の包装品用にコートボール紙を適用する場合には、剛性、ミシン目での開封のしやすさなどの観点から、厚さは、斤量で２００〜４００ｇ/ｍ２程度の範囲とすることが好ましい。
【００５４】
また、プラスチック製カバー１２には、ポリプロピレン（ＰＰ）等のポリオレフィン系樹脂、ポリエチレンテレフタレート（ＰＥＴ）等のポリエステル系樹脂、ポリアミド系樹脂、ポリ塩化ビニル（ＰＶＣ）系樹脂などの材料が適しており、厚さは所定の剛性を持たせるために、０．２０〜０．６０μｍ程度の範囲とすることが好ましい。
【００５５】
ブリスターパック１０は、ほぼ通常のブリスターパックの製造方法によって製造することができる。例えば、実施の形態１に係るブリスターパック１０の場合には、次の手順によって製造することができる。プラスチック製カバー１２は、ＰＥＴシートなどのプラスチック材料を真空成型等により所定の形状に成形することによって作製する。表側シート１３及び裏側シート１４は、コートボール紙などに、商品名、説明文等を印刷し、さらにミシン目１７の形成、打ち抜き、裁断などによって所定のシートに仕上げる。なお、裏側シート１４には、裏面のほか、収容部１６側のミシン目１７の内側領域に、必要に応じて取り扱い説明などの情報を印刷しておく。
【００５６】
次に、表側シート１３の裏面に、刷毛塗り、ロールコート法、シルク印刷、シーラントフィルム等の手法により、上記のエチレン−酢酸ビニル共重合体、ポリエステルなどのヒートシール用接着剤を塗布し、接着剤の塗布面（裏面）を上にして表側シート１３をヒートシール装置のシール台に乗せ、その上に、表側シート１３の開口部１３ａに、収容部１６を上向きにして嵌め込むように、プラスチック製カバー１２を重ねる。次に、収容部１６に包装品を収め、その上に裏側シート１４を重ねる。その後、接着部に対応する領域を押圧した状態で１００〜１７０℃程度に加熱して接着する。上記の手順によって、ブリスターパック１０を製造することができる。
【図面の簡単な説明】
【００５７】
【図１】本発明の実施の形態１に係るブリスターパックを示す斜視図である。
【図２】図１に示したブリスターパックを分解して示す斜視図である。
【図３】図１に示した切断線III−III’におけるブリスターパックを示す断面図である。
【図４】表側シート、裏側シート、フランジ部及びミシン目相互の位置関係を示す模式的平面図である。
【図５】実施の形態２に係るブリスターパックを示す斜視図である。
【図６】実施の形態３に係るブリスターパックの開封端を示す部分拡大平面図である。
【図７】実施の形態４に係るブリスターパックの開封端を示す部分拡大斜視図であり、（ａ）は突起状の開封端が裏側シート、フランジ部及び表側シートの３層で構成されている場合、（ｂ）は突起状の開封端が裏側シート１層で構成されている場合を示している。
【図８】接着領域を示す平面図であり、表側シートと裏側シートとが対面する周縁部全面を接着領域とするほか、さらに、（ａ）は表側シートとフランジ部とが対面する部分全面を接着領域とする場合、（ｂ）は表側シートとフランジ部の周縁部とが対面する部分を接着領域とする場合、（ｃ）は表側シートとフランジ部のコーナー部とが対面する部分を接着領域とする場合を示している。
【図９】従来の技術に係るブリスターパックの台紙を示す展開図である。
【符号の説明】
【００５８】
１０、２０、３０、４０Ａ、４０Ｂ    ブリスターパック
１１      台紙
１２      プラスチック製カバー
１３      表側シート
１４      裏側シート
１５      フランジ部
１６      収容部
１７      ミシン目
１８      接着剤層
１９、４９Ａ、４９Ｂ    吊り下げ孔
３１、４１Ａ、４１Ｂ    開封端
【図１】
2006027715.tif 000003
【図２】
2006027715.tif 000004
【図３】
2006027715.tif 000005
【図４】
2006027715.tif 000006
【図５】
2006027715.tif 000007
【図６】
2006027715.tif 000008
【図７】
2006027715.tif 000009
【図８】
2006027715.tif 000010
【図９】
2006027715.tif 000011